(57)【要約】【課題】複写装置において、どの書類がいつ不正にコピーされようとしたかを突き止めて、情報セキュリティを確保する。【解決手段】画像処理装置のIPP５のパターン検知部で、書類をスキャンして得られた画像データ中に特定パターンを検知すると、画像データは、パスワードと解除キーが必要な制限メモリ60へ格納される。不正スキャンが行われた日時やユーザー情報などとともに、制限メモリ60の解除キーが、使用者に対応した特別の権限をもつ管理者Ａの端末パソコンPC(#1)12に対してのみ送信される。管理者Ａは、制限メモリ60にアクセスして、画像データを閲覧したり削除したりできる。【選択図】図１
2007194811.tif 000002
【特許請求の範囲】
【請求項１】
原稿を読み取って画像データを得る画像読取装置と、前記画像データを蓄積するメモリ装置と、前記画像データを紙に印刷する画像書込装置と、前記画像データ内の特定パターンを検知するパターン検知装置とを具備する画像処理装置において、アクセス時に解除キーを必要とする制限記憶装置と、前記パターン検知装置が前記画像データ内に前記特定パターンを検知したことに応じて、前記制限記憶装置に前記画像データを格納する手段と、前記パターン検知装置が前記画像データ内に前記特定パターンを検知したことに応じて、予め設定された特定管理者端末装置に対してのみ前記解除キーを送信する手段とを備えたことを特徴とする画像処理装置。
【請求項２】
前記特定管理者端末装置を、ユーザーを認証した結果に応じて変更する手段を備えたことを特徴とする請求項１記載の画像処理装置。
【請求項３】
前記解除キーをジョブごとに変更する手段を備えたことを特徴とする請求項１記載の画像処理装置。
【請求項４】
前記特定パターンを含む画像データが前記画像読取装置で取得されたという情報を、前記特定管理者端末に対してのみ送信する手段を備えたことを特徴とする請求項１記載の画像処理装置。
【請求項５】
前記特定パターンを含む画像データが前記画像読取装置で取得された日時を、前記特定管理者端末装置に対してのみ送信する手段を備えたことを特徴とする請求項１記載の画像処理装置。
【請求項６】
前記制限記憶装置内の全画像データの消去と加工と印刷を、前記特定管理者端末装置からのパスワードと前記解除キーによる指示に応じて許可する手段を備えたことを特徴とする請求項１記載の画像処理装置。
【請求項７】
原稿を読み取って画像データを得て、前記画像データ内に特定パターンが含まれているか否かを検査し、前記画像データ内に前記特定パターンを検知したことに応じて、アクセス時に解除キーを必要とする制限記憶装置に前記画像データを格納するとともに、予め設定された特定管理者端末装置に対してのみ前記解除キーを送信することを特徴とする画像処理方法。
【請求項８】
前記特定管理者端末装置を、ユーザーを認証した結果に応じて変更することを特徴とする請求項７記載の画像処理方法。
【請求項９】
前記解除キーをジョブごとに変更することを特徴とする請求項７記載の画像処理装置。
【請求項１０】
前記画像データ内に前記特定パターンを検知したという情報を、前記特定管理者端末に対してのみ送信することを特徴とする請求項７記載の画像処理方法。
【請求項１１】
前記画像データ内に前記特定パターンを検知した日時を、前記特定管理者端末装置に対してのみ送信することを特徴とする請求項７記載の画像処理方法。
【請求項１２】
前記制限記憶装置内の全画像データの消去と加工と印刷を、前記特定管理者端末装置からのパスワードと前記解除キーによる指示に応じて許可することを特徴とする請求項７記載の画像処理方法。
【発明の詳細な説明】
【技術分野】
【０００１】
本発明は、画像処理装置に関し、特に、特定パターンを検知して複写などを制限するディジタル複合機などの画像処理装置に関する。
【背景技術】
【０００２】
従来、複写装置などにおいては、不正コピーを禁止して情報の不正流出を防止する技術が利用されている。例えば、作成した紙原稿が不特定多数の人々に公開されないようにするために、原稿作成時に特定パターンを印刷しておき、その特定パターンが入っている原稿をスキャンしたら画像データを破壊する方法がある。この技術を、不正コピーガードと呼ぶ。コピーされることが好ましくないデータにこの処理を施すことによって、情報のセキュリティが高められる。
【０００３】
従来の画像処理装置（MFP）について、図３と図４を参照しながら説明する。図３（ａ）に示すように、原稿を光学的に読み取る読取ユニット１は、原稿に対するランプ照射の反射光を、ミラーおよびレンズにより受光素子に集光する。受光素子(CCD)は、SBU(センサー・ボード・ユニット)２に搭載され、CCDにおいて電気信号に変換された画像信号は、ディジタル信号に変換された後、SBU２から出力される。SBU２から出力される画像信号は、CDIC(圧縮/伸張およびデータインターフェイス制御部)３に入力される。機能デバイスおよびデータバス間における画像データの伝送は、CDIC３が全て制御する。CDIC３は、画像データに関し、SBU２とパラレルバス４とIPP(画像処理プロセッサ)５間のデータ転送を行うとともに、全体制御を司るシステムコントローラ６と画像データを処理するプロセスコントローラ７の間の通信を行う。SBU２からの画像信号は、CDIC３を経由してIPP５に転送され、光学系およびディジタル信号への量子化に伴う信号劣化(スキャナ系の信号劣化)を補正し、再度CDIC３へ出力される。
【０００４】
通常、スキャナ画像処理のパスでは、読取画像信号の劣化補正が目的のシェーディング補正、スキャナγ補正、MTF補正等を行う。補正処理ではないが、拡大/縮小の変倍処理も行う。読取画像データの補正処理終了後、出力I/F55を介して、CDIC３へ画像データを転送する。転写紙への出力は、CDIC３からの画像データを入力I/F56より受け、画質処理部57において、面積階調処理を行う。画質処理後のデータは、出力I/F58を介してVDC８へ出力される。面積階調処理は、濃度変換、ディザ処理、誤差拡散処理等が有り、階調情報の面積近似を主な処理とする。一旦スキャナ画像処理された画像データをメモリに蓄積しておけば、画質処理を変えることによって、種々の再生画像を確認することができる。例えば、再生画像の濃度を振ってみたり、ディザマトリクスの線数を変更してみたりすることで、再生画像の雰囲気を変更できる。この時、処理を変更する度に画像を読取ユニット１から読み込み直す必要はなく、MEM11から格納画像を読み出せば、同一データに対して何度でも異なる処理を施せる。また、単体スキャナの場合、スキャナ画像処理と階調処理を合せて施し、CDIC３へ出力する。
【０００５】
読取画像をメモリに蓄積して再利用するジョブと、メモリに蓄積しないジョブとがあり、それぞれの場合について説明する。メモリに蓄積する例としては、１枚の原稿を複数枚複写する場合がある。読取ユニットを１回だけ動作させ、メモリに蓄積し、蓄積データを複数回読み出す使い方である。メモリを使わない例としては、1枚の原稿を1枚だけ複写する場合がある。読取画像をそのまま再生すれば良いので、メモリアクセスを行う必要はない。メモリを使わない場合、IPP５からCDIC３へ転送されたデータは、再度CDIC３からIPP５へ戻される。IPP５においてCCDによる輝度データを面積階調に変換するための画質処理を行う。画質処理後の画像データはIPP５からVDC(ビデオ・データ制御)８に転送する。面積階調に変化された信号に対し、ドット配置に関する後処理およびドットを再現するためのパルス制御を行い、作像ユニット９において転写紙上に再生画像を形成する。
【０００６】
メモリに蓄積し、画像読出時に付加的な処理、例えば画像方向の回転、画像の合成等を行う場合の画像データの流れを説明する。IPP５からCDIC３へ転送されたデータは、CDIC３からパラレルバスを経由してIMAC(画像メモリアクセス制御)10に送られる。ここでは、システムコントローラ６の制御に基づき、画像データとMEM(メモリモジュール)11のアクセス制御、外部PC(パソコン)12のプリント用データの展開、メモリ有効活用のための画像データの圧縮/伸張を行う。IMAC10へ送られたデータは、データ圧縮後、MEM11へ蓄積し、蓄積データを必要に応じて読み出す。読出データは、伸張して本来の画像データに戻し、IMAC10からパラレルバス４経由でCDIC３へ戻される。
【０００７】
CDIC３からIPP５への転送後は、画質処理およびVDC８でのパルス制御を行い、作像ユニット９において、転写紙上に再生画像を形成する。作像ユニット９の制御は、読取りが開始された時点で開始される。画像データの流れにおいて、パラレルバス４およびCDIC３でのバス制御により、MFPの機能を実現する。複数ジョブ、例えばコピー機能、FAX送受信機能、プリンタ出力機能が並行に動作する状況において、読取ユニット１、作像ユニット９およびパラレルバス４使用権のジョブへの割振りを、システムコントローラ６およびプロセスコントローラ７にて制御する。プロセスコントローラ７は、画像データの流れを制御し、システムコントローラ６は、システム全体を制御し、各リソースの起動を管理する。MFPの機能選択は、操作部13にて選択入力し、処理内容を設定する。システムコントローラ６とプロセスコントローラ７は、パラレルバス４、CDIC３およびシリアルバス14を介して相互に通信を行う。CDIC３内において、パラレルバス４とシリアルバス14とのデータインターフェイスのためのデータフォーマット変換を行う。
【０００８】
図３（ｂ）は、CDIC３のブロック構成の概略図である。画像データ入出力部31は、SBU２からの画像データを入力し、IPP５に対してデータを出力する。画像データ入力制御部32では、IPPでスキャナ画像補正されたデータが入力される。入力データは、パラレルバス４での転送効率を高めるために、データ圧縮部33においてデータ圧縮を行う。パラレルデータI/F34を介してパラレルバスへ送出される。パラレルデータバスからパラレルデータI/F34を介して入力される画像データは、バス転送のために圧縮されており、データ伸張部35で伸張される。伸張された画像データは、画像データ出力制御部36において、IPP５へ転送される。ここでの圧縮伸張に使われる符号化方式の例としては、MFPに適している符号語長が固定な方式がある。固定長の符号化方式は、符号状態で符号化前の画像の位置がわかるために、任意の部分の画像のみを再生することが可能である。また、画像加工や編集性にも適している。データ変換部37は、パラレルデータとシリアルデータの変換機能を併せ持つ。システムコントローラ６は、パラレルバス４にデータを転送し、プロセスコントローラ７は、シリアルバス14にデータを転送する。２つのコントローラ間での通信のためにデータ変換を行う。シリアルデータI/F38、39は、IPP５用にも更に１系統持ち、IPP５ともI/Fを行う。
【０００９】
図３（ｃ）は、IMAC10のブロック構成の概略図である。パラレルデータI/F41において、パラレルバス４との画像データのインターフェイスを管理する。構成的には、MEM11への画像データの格納/読出しと、主に外部のPCから入力されるコードデータの画像データへの展開を制御する。MEM11の例としては、半導体メモリ、ハードディスク、もしくはその両方である。入力されたコードデータはラインバッファ42において、ローカル領域でのデータの格納を行う。ラインバッファ42に格納されたコードデータは、システムコントローラI/F43を介して入力されたシステムコントローラからの展開処理命令に基づき、ビデオ制御部44において画像データに展開される。展開された画像データもしくはパラレルデータI/F41を介してパラレルバス４から入力された画像データは、MEM11に格納される。この場合、データ変換部45において格納対象となる画像データを選択し、データ圧縮部46においてメモリ使用効率を上げるためにデータ圧縮を行い、メモリアクセス制御部47にてMEM11のアドレスを管理しながらMEM11に画像データを格納する。ここでの圧縮伸張に使われる符号化方式の例としては、MEM11領域節約に適した高能率な符号化方式がある。これは、CDIC３に要求される機能重視の符号化方式と異なり、効率重視の符号化方式である。MEM11に格納された画像データの読出しは、メモリアクセス制御部47にて読出先アドレスを制御し、読み出された画像データをデータ伸張部48にて伸張する。伸張された画像データをパラレルバス４へ転送する場合、パラレルデータI/F41を介してデータ転送を行う。
【００１０】
図４（ａ）は、VDC８のブロック構成の概略図である。入力される画像データに対し作像ユニットの特性に応じて、追加の処理を行う。エッジ平滑処理部61におけるドットの再配置処理、パルス制御部62におけるドット形成のための画像信号のパルス制御を行い、画像データは、作像ユニットを対象として出力される。画像データの変換とは別に、パラレルデータとシリアルデータのフォーマット変換機能を併せ持ち、VDC８単体でも、システムコントローラ６とプロセスコントローラ７の通信に対応できる。
【００１１】
図４（ｂ）は、IPP５の画像処理の概略図である。前提として、原稿画像には、ある特定のパターンが画像として埋め込まれているものとする。読取画像は、SBU２、CDIC３を介して、IPP５の入力I/F51からスキャナ画像処理部52へ伝達される。ここで、入力画像データは、本来のスキャナ画像処理部52において、スキャナ画像処理が行われると同時に、パターン検知部53にも画像データが分岐され、画像データ内の特定パターンを検知する。検知した情報は、コマンド制御部54を介して、プロセスコントローラ７へ通知される。特定パターン検知部では、検知だけで画像データの変更は行われない。プロセスコントローラ７は、パターン検知の通知を受けると、スキャナ画像処理部52の制御を即座に変更し、出力画像データを入力データにかかわらず出力させないようにする。以下に、これに関連する従来技術の例をいくつかあげる。
【００１２】
特許文献１に開示された「特殊原稿判別機能付き複写機」は、通常の原稿のコピーを妨げることなく、特殊原稿のコピーを禁止して、違法複写を未然に防ぐものである。特殊原稿がコピーされた場合でも追跡可能であり、オリジナルの再現性も低下させる。画像検出回路で、画像データから特徴画像部分を抽出する。予め特殊原稿の特徴データをメモリに記憶しておく。抽出した特徴画像部分と特徴データとを、比較回路で比較して類似度を求める。類似度が、第１の類似度以上の場合に、コピーを禁止する。第１の類似度より小さく、第２の類似度以上の場合に、マークを付加する。
【００１３】
特許文献２に開示された「複写機」は、特定マークの検出が容易かつ精度良くできるものである。原稿画像を読み取って画像データを得る。変倍処理を行う以前の画像データに基づいて、原稿画像中の特定のマークを検出する。特定マークを検出すると、通常とは異なる複写動作を行う。
【００１４】
特許文献３に開示された「画像処理装置」は、複写禁止文書の判別を確実に行って、複写・転送・保存などを確実に禁止するものである。スキャナから入力した画素データ毎に、あらかじめ決められた複写禁止パターンの一部であるか否かを検出する。複写禁止パターンの一部であると検出された画素データの数に基づいて、画像情報が複写禁止文書であるか否かを判定する。判定結果に応じて、画像情報あるいは白データの何れかをプロッタへ出力する。
【００１５】
特許文献４に開示された「画像処理システム」は、予め登録された特定画像と原稿画像が同一であると判断された場合に、その画像データの出力を禁止することにより、紙幣等の偽造を防止するものである。読み込まれた原稿画像データと、予め保持している特定画像データとの同一性を判定する。判定結果データを、読み込んだ原稿画像データに付加して出力する。原稿画像と特定画像が同一である場合に、原稿画像データの出力を禁止する。また、原稿画像と特定画像が同一であることを明示するためのデータを出力する。このようにして、紙幣等の偽造禁止画像の出力を効率よく防止することができる。
【００１６】
特許文献５に開示された「画像形成装置」は、文書の不正な複写を防止するものである。作成した原稿のハードコピーを出力する際に、画像形成装置の情報または文書の付属情報を、少なくとも２種類の偽造防止技術を用いて、ハードコピー原稿中に埋め込む。これにより、文書の不正な複写を防止する。
【００１７】
特許文献６に開示された「画像形成装置」は、不正な印刷出力を防止できるものである。複写禁止マークを検知した場合、複写禁止マークが検知されたページは記録紙に印刷せず、それ以外の複写禁止マークが検知されていない画像のページのみを印刷出力する。
【特許文献１】特開平06-125459号公報
【特許文献２】特開平07-036317号公報
【特許文献３】特許3078433号公報（特開平07-087309号公報）
【特許文献４】特開2001-086330号公報
【特許文献５】特開2003-205661号公報
【特許文献６】特願2005-267319号明細書
【発明の開示】
【発明が解決しようとする課題】
【００１８】
しかし、従来の不正コピー防止方法では、次のような問題がある。不正スキャンが検知されても、だれがどのような書類をいつコピーしようとしたかが判明しないことには、確実に不正コピーを予防することができない。また、１つのパスワードだけで秘密書類を編集できるようなシステムでは、情報セキュリティが十分ではない。
【００１９】
本発明の目的は、上記従来の問題を解決して、複写装置において、どの書類がいつだれにより不正スキャンされたかを突き止めて、情報セキュリティを確保することである。
【課題を解決するための手段】
【００２０】
上記の課題を解決するために、本発明では、原稿を読み取って画像データを得る画像読取装置と、画像データを蓄積するメモリ装置と、画像データを紙に印刷する画像書込装置と、画像データ内の特定パターンを検知するパターン検知装置とを具備する画像処理装置に、アクセス時に解除キーを必要とする制限記憶装置と、パターン検知装置が画像データ内に特定パターンを検知したことに応じて、制限記憶装置に画像データを格納する手段と、パターン検知装置が画像データ内に特定パターンを検知したことに応じて、予め設定された特定管理者端末装置に対してのみ解除キーを送信する手段とを備えた構成とした。
【００２１】
また、特定管理者端末装置を、ユーザーを認証した結果に応じて変更する。解除キーをジョブごとに変更する。特定パターンを含む画像データが画像読取装置で取得されたという情報を、特定管理者端末に対してのみ送信する。特定パターンを含む画像データが画像読取装置で取得された日時を、特定管理者端末装置に対してのみ送信する。制限記憶装置内の全画像データの消去と加工と印刷を、特定管理者端末装置からのパスワードと解除キーによる指示に応じて許可する。
【発明の効果】
【００２２】
上記のように構成したことにより、どの書類がいつだれにより不正スキャンされたかを突き止めることができる。
【発明を実施するための最良の形態】
【００２３】
以下、本発明を実施するための最良の形態について、図１と図２を参照しながら詳細に説明する。
【実施例】
【００２４】
本発明の実施例は、特定のパターンが描かれた画像データがスキャンされたことを検知した場合、その画像データを閲覧禁止のメモリに格納して、閲覧することを許可された人間に対してのみ、不正スキャンのユーザーや日時などの情報とともに、その画像データの閲覧禁止解除キーを送信する画像処理装置である。
【００２５】
図１（ａ）は、本発明の実施例における画像処理装置（MFP）の機能ブロック図である。画像処理装置の基本的な構成は、図３と図４に示した従来の装置と同じである。図１（ｂ）は、解除キーの送信経路を示す図である。図１（ｃ）は、ユーザー認証によって管理者を変更する方法を示す図である。図２（ａ）は、不正スキャンが行われた場合の画像データとジョブの情報の転送経路を示す図である。図２（ｂ）は、不正スキャンが行われたという情報を送信する経路を示す図である。図２（ｃ）は、不正スキャンが行われた日時を送信する経路を示す図である。図２（ｄ）は、パスワードと解除キーで画像データの閲覧と処理を行う方法を示す図である。
【００２６】
図１と図２において、読取ユニット１は、原稿を読み取るスキャナである。SBU２は、受光素子(CCD)を搭載したセンサー・ボード・ユニットである。CDIC３は、圧縮/伸張およびデータインターフェイスを制御する手段である。パラレルバス４は、データ転送経路である。IPP５は、光学系およびディジタル信号への量子化に伴う信号劣化(スキャナ系の信号劣化)を補正する手段である。システムコントローラ６は、システムの全体を制御する手段である。プロセスコントローラ７は、画像データの流れを制御する手段である。VDC８は、入力される画像データに対し作像ユニットの特性に応じて追加の処理を行う手段である。作像ユニット９は、転写紙上に再生画像を形成する手段である。IMAC10は、画像データの格納/読出しと、外部から入力されるコードデータの画像データへの展開を制御する手段である。MEM11は、半導体メモリとハードディスクである。PC(#1)12は、管理者Ａの端末パソコンである。操作部13は、装置の操作用のキーや表示部である。シリアルバス14は、データ通信経路である。RAM15は、一時記憶用のメモリである。ROM16は、固定記憶装置である。RAM17は、一時記憶用のメモリである。ROM18は、固定記憶装置である。制限メモリ60は、アクセス時に解除キーを必要とするメモリである。PC(#2)70は、管理者Ｂの端末パソコンである。PC(#3)71は、管理者Ｃの端末パソコンである。PC(#4)72は、管理者Ｄの端末パソコンである。PC(#5)73は、管理者Ｅの端末パソコンである。
【００２７】
上記のように構成された本発明の実施例における画像処理装置の機能と動作を説明する。最初に、図１（ａ）を参照しながら、画像データの流れを説明する。特定のパターンが画像として埋め込まれている原稿画像を、読取ユニット１で取り込むと、読取画像は、SBU２、CDIC３を介して、IPP５のスキャナ画像処理部へ伝達される。特定のパターンは、原稿画像にどのような状態で埋め込まれているものでもよい。パターン検知部で、画像データ内の特定パターンを検知する。検知した情報は、プロセスコントローラ７へ通知される。プロセスコントローラ７が、IPP５のパターン検知部で検知した情報を受けると、スキャナ画像処理部において処理された画像は、CDIC３へ転送される。更に、画像データは、パラレルバス４を介して、制限メモリ60へ転送されて格納される。制限メモリ60にアクセスするためには、パスワードと解除キーを入力する必要がある。一時的に記憶された画像データは消去される。一方で、パターン検知の通知を受けなかった画像データのみが、CDIC３を介して画質処理部へ転送され、面積階調処理が行われる。画質処理後のデータは、VDC８へ出力される。
【００２８】
次に、図１（ｂ）を参照しながら、解除キーの送信方法を説明する。システムコントローラ６は、スキャンで取得された画像データ内に特定パターンが検知されたことを通知されると、制限メモリ60の解除キーを生成する。システムコントローラ６で作成した解除キーを、制限メモリ60内の画像データを閲覧することを許可された人間(管理者Ａ)のPC(#1)12に対してのみ、IMAC10を介して送信する。
【００２９】
次に、図１（ｃ）を参照しながら、管理者端末の変更方法を説明する。画像処理装置を使用してコピーを行おうする場合には、操作部13でユーザー認証を行なう。コピーの使用者Ｆが操作部13でユーザー認証を行なうと、使用者Ｆのユーザー情報は、使用者Ｆを管理している管理者Ａ、Ｂ、Ｃの端末パソコンPC(#1)12、PC(#2)70、PC(#3)71に、システムコントローラ６とIMAC10を介して送信される。使用者Ｆがスキャンした画像データに特定パターンが検出された場合の通知先である特定管理者端末装置は、端末パソコンPC(#1)12、PC(#2)70、PC(#3)71となる。コピーの使用者Ｇが操作部13でユーザー認証を行なうと、使用者Ｇのユーザー情報は、使用者Ｇを管理している管理者Ｃ、Ｄ、Ｅの端末パソコンPC(#3)71、PC(#4)72、PC(#6)73に、システムコントローラ６とIMAC10を介して送信される。使用者Ｇがスキャンした画像データに特定パターンが検出された場合の通知先である特定管理者端末装置は、端末パソコンPC(#3)71、PC(#4)72、PC(#6)73となる。このように、操作部13からのユーザー認証情報に従って、システムコントローラ６は、特定管理者端末装置を変更する。不正スキャンが行われた場合には、不正スキャンに関する情報を、IMAC10を介して、各使用者に対応した管理者の端末パソコンPC(12、70-73)に対して送信する。
【００３０】
次に、図２（ａ）を参照しながら、解除キーの作成方法を説明する。不正スキャンが検知された場合には、パターン検知部からIMAC10を介して、制限メモリ60に画像データを転送する。それと同時に、IMAC10を介して、ジョブの情報をシステムコントローラ６に転送し、各ジョブに対する解除キーを作成する。解除キーは、ジョブごとに変更する。ジョブ＃１で取得された画像データ＃１に特定パターンが検出されると、ジョブ＃１に対応する解除キー＃１が作成される。ジョブ＃２で取得された画像データ＃２に特定パターンが検出されると、ジョブ＃２に対応する解除キー＃２が作成される。作成された解除キーは、制限メモリ60に設定されるとともに、ジョブの使用者に対応する特定管理者端末装置に送られる。
【００３１】
次に、図２（ｂ）と（ｃ）を参照しながら、不正スキャンの検知情報の通知方法を説明する。不正スキャンが検知された場合には、システムコントローラ６からIMAC10を介して、コピーの使用者に対応する管理者Ａ、Ｂ、Ｃの端末パソコンPC(#1)12、PC(#2)70、PC(#3)71に対して、不正スキャンが行われたという情報を、ユーザー情報や日時情報などとともに送信する。
【００３２】
次に、図２（ｄ）を参照しながら、制限メモリの閲覧方法を説明する。不正スキャンの検知情報の通知と解除キーを受け取った管理者Ａは、端末パソコンPC(#1)12から、パスワードと解除キーを入力する。システムコントローラ６が、IMAC10を介してそれらを受け取ると、パスワードと解除キーが正しいか否かを検証する。正しいことが検証されると、IMAC10に制御信号を送信する。その結果、閲覧することを許可された管理者Ａの端末パソコンPC(#1)12から、IMAC10を介して制限メモリ60へのアクセスが可能となる。管理者Ａの端末パソコンPC(#1)12からは、制限メモリ60内の全データの消去、加工、印刷などが可能となる。
【００３３】
上記のように、本発明の実施例では、画像処理装置を、特定のパターンが描かれた画像データがスキャンされたことを検知した場合、その画像データを閲覧禁止のメモリに格納して、閲覧することを許可された人間に対してのみ、不正スキャンのユーザーや日時などの情報とともに、その画像データの閲覧禁止解除キーを送信する構成としたので、どの書類がいつだれによって不正スキャンされたかを突き止めることができる。
【産業上の利用可能性】
【００３４】
本発明の画像処理装置は、原稿中の特定パターンを検知して複写などを制限するディジタル複合機として最適である。
【図面の簡単な説明】
【００３５】
【図１】本発明の実施例におけるディジタル画像処理装置（MFP）の全体構成を示す図である。
【図２】本発明の実施例におけるディジタル画像処理装置（MFP）の動作を示す図である。
【図３】従来のディジタル画像処理装置（MFP）の全体構成を示す図である。
【図４】従来のディジタル画像処理装置（MFP）の細部を示す図である。
【符号の説明】
【００３６】
１・・・読取ユニット、２・・・SBU、３・・・CDIC、４・・・パラレルバス、５・・・IPP、６・・・システムコントローラ、７・・・プロセスコントローラ、８・・・VDC、９・・・作像ユニット、10・・・IMAC、11・・・MEM、12・・・PC(#1)、13・・・操作部、14・・・シリアルバス、15・・・RAM、16・・・ROM、17・・・RAM、18・・・ROM、19・・・PN、20・・・FCU、31・・・画像データ入出力部、32・・・画像データ入力制御部、33・・・データ圧縮部、34・・・パラレルデータI/F、35・・・データ伸張部、36・・・画像データ出力制御部、37・・・データ変換部、38・・・シリアルデータI/F、41・・・パラレルデータI/F、42・・・ラインバッファ、43・・・システムコントローラI/F、44・・・ビデオ制御部、45・・・データ変換部、46・・・データ圧縮部、47・・・メモリアクセス制御部、48・・・データ伸張部、51・・・入力I/F、52・・・スキャナ画像処理部、53・・・パターン検知部、54・・・コマンド制御部、55・・・出力I/F、56・・・入力I/F、57・・・画質処理部、58・・・出力I/F、60・・・制限メモリ、61・・・エッジ平滑処理部、62・・・パルス制御部、63・・・データ変換部、64・・・パラレルデータI/F、65・・・シリアルデータI/F、70・・・PC(#2)、71・・・PC(#3)、72・・・PC(#4)、73・・・PC(#5)。
【図１】
2007194811.tif 000003
【図２】
2007194811.tif 000004
【図３】
2007194811.tif 000005
【図４】
2007194811.tif 000006